【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
電子写真感光体ドラムと、前記電子写真感光体ドラムに作用するプロセス手段と、前記電子写真感光体ドラムがカートリッジ枠体から露出する露出部を覆う第１の位置と、前記第１の位置から退避して前記露出部を開放する第２の位置とを取り得る、前記カートリッジ枠体に回転可能に設けられたドラムシャッターと、を有するプロセスカートリッジを、略垂直方向において複数個取り外し可能に装着して、記録媒体に画像を形成する電子写真画像形成装置において、
複数個の前記プロセスカートリッジを取り外し可能に装着する装着部と、
前記プロセスカートリッジを前記装着部に装着する際に、前記プロセスカートリッジが通過する開口と、
前記開口を塞ぐ閉じ位置と、前記閉じ位置から退避して前記開口を開放する開き位置と、の間を移動可能な開閉部材と、
前記開閉部材が前記開き位置から前記閉じ位置へ移動した際に、前記ドラムシャッターと当接して前記ドラムシャッターを前記第２の位置に移動させる押圧部材であって、前記略垂直方向において最も下方に装着された前記プロセスカートリッジが有する前記ドラムシャッターの前記第１の位置から前記第２の位置までの回転角度を、前記最も下方に装着された前記プロセスカートリッジ以外のその他のプロセスカートリッジが有する前記ドラムシャッターの前記第１の位置から前記第２の位置までの回転角度よりも大きくなるように移動させる押圧部材と、
を有することを特徴とする電子写真画像形成装置。
【請求項２】
前記押圧部材は、前記開閉部材に設けられていることを特徴とする請求項１に記載の電子写真画像形成装置。
【請求項３】
前記プロセスカートリッジが前記装着部に装着された状態において、前記ドラムシャッターは、略垂直方向において下方に回転することを特徴とする請求項１又は２に記載の電子写真画像形成装置。
【請求項４】
更に、前記電子写真画像形成装置は、
複数個の前記プロセスカートリッジが前記装着部に装着した際に、前記開閉部材の前記開き位置から前記閉じ位置への移動に応じて、前記ドラムシャッターを、前記第１の位置から所定角度回転した第３の位置へ移動させるシャッター開放手段を有し、
前記押圧部材は、前記ドラムシャッターを、前記第３の位置から前記第２の位置へ回転させることを特徴とする請求項１〜３のいずれかの項に記載の電子写真画像形成装置。
【請求項５】
前記他の前記プロセスカートリッジの有する前記ドラムシャッターの前記第１の位置から前記第２の位置までの回転角度は、略同じ角度であることを特徴とする請求項１〜４のいずれかの項に記載の電子写真画像形成装置。
【請求項６】
前記押圧部材は、前記開閉部材に内側に設けられ複数の突起であり、
前記複数の突起は、前記装着部に装着される各プロセスカートリッジに応じて配置されており、
そして、前記複数の突起の内、前記略垂直方向において最も下方に設けられた突起の前記開閉部材からの突出量は、他の突起の前記開閉部材からの突出量よりも大きいことを特徴とする請求項２に記載の電子写真画像形成装置。
【請求項７】
前記他の突起の前記開閉部材からの突出量は略等しいことを特徴とする請求項６に記載の電子写真画像形成装置。
【請求項８】
前記記録媒体は、前記最も下方に装着された前記プロセスカートリッジよりも、前記略垂直方向において下方に設けられたカセット内に収納されており、搬送手段によって前記略垂直方向において下方から上方に搬送されることを特徴とする請求項１〜７のいずれかの項に記載の電子写真画像形成装置。
【請求項９】
前記開閉部材は、前記記録媒体を搬送する搬送ベルトを有し、前記押圧部材は、前記記録媒体を搬送する搬送方向と交差する方向において、前記搬送ベルトを挟んで一端側と他端側とに配置されていることを特徴とする請求項１〜８のいずれかの項に記載の電子写真画像形成装置。
【請求項１０】
前記押圧部材は、複数個の前記プロセスカートリッジが前記装着部に装着された際に、前記開閉部材の前記開き位置から前記閉じ位置への移動に応じて、前記ドラムシャッターを、前記第１の位置から前記第２の位置へ移動させることを特徴とする請求項１〜９のいずれかの項に記載の電子写真画像形成装置。
【手続補正２】
【補正対象書類名】明細書
【補正対象項目名】００２２
【補正方法】変更
【補正の内容】
【００２２】
上記目的は本発明に係る電子写真画像形成装置にて達成される。要約すれば、本発明は、電子写真感光体ドラムと、前記電子写真感光体ドラムに作用するプロセス手段と、前記電子写真感光体ドラムがカートリッジ枠体から露出する露出部を覆う第１の位置と、前記第１の位置から退避して前記露出部を開放する第２の位置とを取り得る、前記カートリッジ枠体に回転可能に設けられたドラムシャッターと、を有するプロセスカートリッジを、略垂直方向において複数個取り外し可能に装着して、記録媒体に画像を形成する電子写真画像形成装置において、
複数個の前記プロセスカートリッジを取り外し可能に装着する装着部と、
前記プロセスカートリッジを前記装着部に装着する際に、前記プロセスカートリッジが通過する開口と、
前記開口を塞ぐ閉じ位置と、前記閉じ位置から退避して前記開口を開放する開き位置と、の間を移動可能な開閉部材と、
前記開閉部材が前記開き位置から前記閉じ位置へ移動した際に、前記ドラムシャッターと当接して前記ドラムシャッターを前記第２の位置に移動させる押圧部材であって、前記略垂直方向において最も下方に装着された前記プロセスカートリッジが有する前記ドラムシャッターの前記第１の位置から前記第２の位置までの回転角度を、前記最も下方に装着された前記プロセスカートリッジ以外のその他のプロセスカートリッジが有する前記ドラムシャッターの前記第１の位置から前記第２の位置までの回転角度よりも大きくなるように移動させる押圧部材と、
を有することを特徴とする電子写真画像形成装置である。
【手続補正３】
【補正対象書類名】明細書
【補正対象項目名】００４７
【補正方法】変更
【補正の内容】
【００４７】
図２及び図３（ａ）、（ｂ）は、トナーを収納したプロセスカートリッジ７の主断面図及び斜視図である。なお、イエロー色、マゼンタ色、シアン色、ブラック色の各プロセスカートリッジ７ａ、７ｂ、７ｃ、７ｄは同一構成である。
【手続補正４】
【補正対象書類名】明細書
【補正対象項目名】００５８
【補正方法】変更
【補正の内容】
【００５８】
つまり、開閉扉１０１は、搬送ベルトユニット５と共に、開口部１００Ａを塞ぐ閉じ位置と、閉じ位置から退避して開口部１００Ａを開く開き位置との間を移動可能とされる。
【手続補正５】
【補正対象書類名】明細書
【補正対象項目名】００８９
【補正方法】変更
【補正の内容】
【００８９】
つまり、図１０において、各画像形成ステーションのドラムシャッター７０は、各画像形成ステーションにて位置Ｐ１が感光体ドラム１を覆う位置（第１の位置）であるが、感光体ドラム１から退避した位置（第２の位置）は、最も下の画像形成ステーションＰａでは位置Ｐ３、他の画像形成ステーションＰｂ、Ｐｃ、Ｐｄでは位置Ｐ４が感光体ドラム１から退避した位置とし、最も下の画像形成ステーションＰａのプロセスカートリッジ７ａのドラムシャッター７０の開閉位置（退避位置）を、他の画像形成ステーションＰｂ、Ｐｃ、Ｐｄのプロセスカートリッジ７ｂ、７ｃ、７ｄと異なるよう構成した。本実施例では、ドラムシャッター７０ａの回転角度が、他のドラムシャッター７０ｂ、７０ｃ、７０ｄより大きくなるようにした。
【手続補正６】
【補正対象書類名】明細書
【補正対象項目名】００９６
【補正方法】変更
【補正の内容】
【００９６】
本実施例では、全画像形成ステーションで、図９に関連して説明したと同様の同一のシャッター開閉機構１２０を用いつつ，各ステーションのシャッター回転角度（退避位置）を異ならせることができる。
【手続補正７】
【補正対象書類名】明細書
【補正対象項目名】００９７
【補正方法】変更
【補正の内容】
【００９７】
図１０にて、開閉扉１０１が開いた状態では、各画像形成ステーションのドラムシャッター７０は位置Ｐ１の位置（第１の位置）にあり、感光体ドラム１を覆っている。この状態から開閉扉１０１を閉めると、図７を参照して前述したように、シャッター開閉トリガー３０のレバー３１の先端３３が下がり、各画像形成ステーションのドラムシャッター７０の開動作を行う。
【手続補正８】
【補正対象書類名】明細書
【補正対象項目名】００９８
【補正方法】変更
【補正の内容】
【００９８】
このとき、図９に示すシャッター開閉機構１２０により、全画像形成ステーションのドラムシャッター７０は、図１０に示した位置Ｐ１の位置（第１の位置）から位置Ｐ２の位置（第３の位置）へと移動する。
【手続補正９】
【補正対象書類名】明細書
【補正対象項目名】０１０９
【補正方法】変更
【補正の内容】
【０１０９】
つまり、開閉扉１０１を、図１０の全開状態から図７の状態へと移動し、更に、図７に示した状態から開閉扉１０１を閉じると、各画像形成ステーションのドラムシャッター７０は、開閉扉１０１に設けられたシャッター退避規制部材６１により押圧され、感光体ドラム１から更に退避した位置（第２の位置）へ移動される。このとき、上述したように、シャッター退避規制部材６１は各画像形成ステーション毎に異なったものとすることができる。
【手続補正１０】
【補正対象書類名】明細書
【補正対象項目名】０１１２
【補正方法】変更
【補正の内容】
【０１１２】
図１０に示す実施例においては、第１の規制部材６１ａは最も下の画像形成ステーションＰａのドラムシャッター７０ａを押圧し、位置Ｐ２位置（第３の位置）から位置Ｐ３位置（第２の位置）へと移動させる。一方、他の画像形成ステーションＰｂ、Ｐｃ、Ｐｄのドラムシャッター７０ｂ、７０ｃ、７０ｄは第２の規制部材６１ｂ、６１ｃ、６１ｄにより押圧され、位置Ｐ２の位置（第３の位置）から位置Ｐ４の位置（第２の位置）へ移動される。